(57)【要約】【課題】再生される音楽の雰囲気の変化に応じてバックグラウンドとなる静止画像を切り換えることができる光ディスク再生装置を提供する。【解決手段】音楽ファイルと画像ファイルとが混在した光ディスク２の情報を再生する際に、再生したい音楽ファイルに対応する画像ファイルが画像ファイル検索回路１８により検索され、最初の静止画像がバックグラウンドとして表示装置２１に表示される。音楽ファイルの再生が開始し、音声信号の音声レベルが音声レベル検出回路１５により検出され、音声レベルと基準レベル幅とが音声レベル比較回路１６により比較され、音声レベルが基準レベル幅を外れたとき画像切換指令回路１７は画像切換指令信号を出力することにより、次の静止画像に切り換えられる。即ち音楽の雰囲気の変化に応じて静止画像が切り換えられる。【選択図】      図１
2004158105.tif 000002
【特許請求の範囲】
【請求項１】
記録媒体である光ディスクに記録された情報を再生する光ディスク再生装置において、音楽情報が記録された音楽ファイルと一連の静止画像情報が記録された画像ファイルとが混在した光ディスクの情報を再生する際に、再生したい音楽ファイルに対応する画像ファイルを検索して静止画像を表示装置に表示させるための画像ファイル検索手段と、前記音楽ファイルの再生が開始してから音声信号の音声レベルを検出する音声レベル検出手段と、前記検出された音声レベルと基準レベル幅とを比較し前記音声レベルが前記基準レベル幅を外れたとき比較結果信号を出力する音声レベル比較手段と、前記比較結果信号を入力したとき前記静止画像を切り換えるための画像切換指令信号を出力する画像切換指令手段とを備えた画像切換部を設け、再生される音楽の音声信号の音声レベルが前記基準レベル幅を外れたとき、前記表示装置に表示させるバックグラウンドとしての静止画像を切り換えることを特徴とする光ディスク再生装置。
【請求項２】
記録媒体である光ディスクに記録された情報を再生する光ディスク再生装置において、音楽情報が記録された音楽ファイルと静止画像情報が記録された画像ファイルとが混在した光ディスクの情報を再生する際に、再生したい音楽ファイルに対応する画像ファイルを検索して静止画像を表示装置に表示させ、再生される音楽の音声信号の音声レベルが基準レベル幅から外れたとき、前記表示装置に表示させる静止画像を切り換える画像切換部を設けたことを特徴とする光ディスク再生装置。
【請求項３】
前記基準レベル幅の中心点と高低幅は設定変更が可能であることを特徴とする請求項２に記載の光ディスク再生装置。
【請求項４】
前記画像ファイルは前記音楽ファイルと関連する一連の静止画像情報を有していることを特徴とする請求項２に記載の光ディスク再生装置
【請求項５】
前記画像切換部は、音楽情報が記録された音楽ファイルと静止画像情報が記録された画像ファイルとが混在した光ディスクの情報を再生する際に、再生したい音楽ファイルに対応する画像ファイルを検索して静止画像を表示装置に表示させるための画像ファイル検索手段と、前記音楽ファイルの再生が開始してから音声信号の音声レベルを検出する音声レベル検出手段と、前記検出された音声レベルと基準レベル幅とを比較し前記音声レベルが前記基準レベル幅から外れたとき比較結果信号を出力する音声レベル比較手段と、前記比較結果信号を入力したとき前記静止画像を切り換えるための画像切換指令信号を出力する画像切換指令手段とを備えたことを特徴とする請求項２に記載の光ディスク再生装置。
【発明の詳細な説明】
【０００１】
【発明の属する技術分野】
本発明は音楽情報が記録された音楽ファイルと静止画像情報が記録された画像ファイルとが混在する光ディスクを再生する光ディスク再生装置に関する。
【０００２】
【従来の技術】
近年、ＤＶＤ（ｄｉｇｉｔａｌ  ｖｅｒｓａｔｉｌｅ  ｄｉｓｋ）プレーヤなどの光ディスク再生装置は、性能のアップがめざましく、様々なメディアに対応できるようになってきている。例えば、音楽情報が記録された音楽ファイルと静止画像情報が記録された画像ファイルとが混在したＤＶＤなどの光ディスクが知られており、このような光ディスクを用いると、再生される音楽をバックグラウンドミュージック（ＢＧＭ）とし、表示装置に表示される静止画像を楽しんだり、逆に、静止画像をバックグラウンド画面とし、再生される音楽を楽しんだりすることができる。
【０００３】
例えば、特許文献１に記載の画像再生システムでは、画像記録媒体に記録された画像データと、この画像データに対応するグループの音楽データとを読み出して、この画像データを再生して画像データが表わす画像を表示させる際、音楽データが表わす音楽を再生し、これにより、モニタへの画像の表示に伴って音楽が流されるように構成されている。即ち、この画像再生システム（従来の光ディスク再生装置）では、表示装置に表示される静止画像に対応して音楽がバックグラウンドミュージックとして再生されるようになっており、また、静止画像と音楽が対応しているので、音楽に対応して静止画像がバックグラウンドとして表示装置に表示させることも可能になる。
【０００４】
また、特許文献２に記載の画像再生システムでは、フォトＣＤに記録された画像データが順次読み出されてそのデータにて表わされる画像がモニタに表示されるのに伴って、対応するバックグラウンドミュージックが流されるように構成されている。また、この画像再生システムでは、画像を換える毎に、それぞれの画像に対応する音楽を流したり、また、複数の画像の表示に対して１つの音楽を流したりすることができる。即ち、この画像再生システム（従来の光ディスク再生装置）では、表示装置に表示される静止画像に対応して音楽がバックグラウンドミュージックとして再生され、また、複数の画像の表示に対して１つの音楽を流すことができるということは逆に１つの音楽に対して複数の静止画像をバックグラウンドとして表示装置に表示させることも可能になる。
【０００５】
また、上記のような従来技術の他に、従来から知られているようにカラオケシステムなどに用いられている光ディスク再生装置では、音楽の再生と共に表示装置には唄の歌詞と共にバックグラウンドの画像（動画像または静止画像）が表示されるようになっている。
【０００６】
【特許文献１】
特開平６−３１１４８１号公報（段落００１６）
【特許文献２】
特許第３１５３６６９号公報（段落００２６，００２８）
【０００７】
【発明が解決しようとする課題】
しかしながら、特許文献１の画像再生システムでは、静止画像と音楽とが対応しているので、ユーザが音楽をメインとして再生する場合は、バックグラウンドとして表示装置に表示される静止画像は１つであり、同じ音楽を再生している間は静止画像が入れ替わることがない。したがって、ユーザにとっては同じ音楽を聴いている間は同じ静止画像を見ることになり、画像面での楽しみが少なくなるという課題が生じる。
【０００８】
特許文献２の画像再生システムでは、複数の静止画像と１つの音楽とを対応させているので、ユーザが音楽をメインとして再生する場合は、バックグラウンドとして表示装置に表示される静止画像は複数個あり、同じ音楽を再生している間でも、静止画像を予め定めた周期に従って切り換えることができる。ところで、音楽には１つのストーリがあり、雰囲気（音調）が変わるところは音の強さを変えることにより表現しているのが、音楽上の基本手法であり、このような雰囲気が変わるところでバックグラウンドとなる静止画像を切り換えたい所であるが、この従来技術では、音楽の雰囲気の変化に関係なく予め定めた周期に従って静止画像を切り換えるようになるので、音楽の雰囲気の変化に対するバックグラウンドとなる静止画像の切り換えタイミングがユーザにとって不調和を感じることがあるという課題が生じる。
【０００９】
また、カラオケシステムなどに用いられる従来の光ディスク再生装置においても上記と同様、音楽の雰囲気の変化に関係なく予め定めた周期に従って静止画像を切り換えるようにしているので、音楽の雰囲気の変化に対するバックグラウンドとなる静止画像の切り換えタイミングがユーザにとって不調和を感じることがあるという課題が生じる。
【００１０】
本発明は上記のような課題を解決するためになされたもので、再生される音楽の雰囲気の変化に応じてバックグラウンドとなる静止画像を切り換えることができる光ディスク再生装置を提供することを目的とする。
【００１１】
【課題を解決するための手段】
上記目的を達成するために請求項１の発明は、音楽情報が記録された音楽ファイルと一連の静止画像情報が記録された画像ファイルとが混在した光ディスクの情報を再生する際に、再生したい音楽ファイルに対応する画像ファイルを検索して静止画像を表示装置に表示させるための画像ファイル検索手段と、前記音楽ファイルの再生が開始してから音声信号の音声レベルを検出する音声レベル検出手段と、前記検出された音声レベルと基準レベル幅とを比較し前記音声レベルが前記基準レベル幅を外れたとき比較結果信号を出力する音声レベル比較手段と、前記比較結果信号を入力したとき前記静止画像を切り換えるための画像切換指令信号を出力する画像切換指令手段とを備えた画像切換部を設け、再生される音楽の音声信号の音声レベルが前記基準レベル幅を外れたとき、前記表示装置に表示させるバックグラウンドとしての静止画像を切り換えることを特徴とする光ディスク再生装置を提供する。
【００１２】
この構成において、音楽情報が記録された音楽ファイルと一連の静止画像情報が記録された画像ファイルとが混在した光ディスクの情報を再生する際に、再生したい音楽ファイルに対応する画像ファイルが前記画像ファイル検索手段により検索され、最初の静止画像がバックグラウンドとして表示装置に表示される。そして、前記音楽ファイルの再生が開始し、音声信号の音声レベルが前記音声レベル検出手段により検出され、この検出された音声レベルと基準レベル幅とが前記音声レベル比較手段により比較され、前記音声レベルが前記基準レベル幅を外れたとき比較結果信号が出力される。この比較結果信号を入力した前記画像切換指令手段は、前記静止画像を切り換えるための画像切換指令信号を出力し、これにより、バックグラウンドとしての静止画像が切り換えられる。
【００１３】
このように、再生される音楽の音声レベルが基準レベル幅を外れたとき、バックグラウンドとなる静止画像が切り換えられるので、即ち、音楽の雰囲気（音調）の変化に応じてバックグラウンドとなる静止画像が切り換えられるので、音楽の雰囲気の変化に応じて切り換わる静止画像を視覚的に楽しみながら、音楽をより一層効果的に楽しんで聴くことができる。
【００１４】
請求項２の発明は、音楽情報が記録された音楽ファイルと静止画像情報が記録された画像ファイルとが混在した光ディスクの情報を再生する際に、再生したい音楽ファイルに対応する画像ファイルを検索して静止画像を表示装置に表示させ、再生される音楽の音声信号の音声レベルが基準レベル幅から外れたとき、前記表示装置に表示させる静止画像を切り換える画像切換部を設けたことを特徴とする光ディスク再生装置を提供する。
【００１５】
この構成において、音楽情報が記録された音楽ファイルと静止画像情報が記録された画像ファイルとが混在した光ディスクの情報を再生する際に、再生したい音楽ファイルに対応する画像ファイルが検索され、静止画像が表示装置に表示され、再生される音楽の音声信号の音声レベルが基準レベル幅から外れたとき、前記表示装置に表示される静止画像が切り換えられる。
【００１６】
このように、再生される音楽の音声レベルが基準レベル幅を外れたとき、バックグラウンドとなる静止画像が切り換えられるので、即ち、音楽の雰囲気（音調）の変化に応じてバックグラウンドとなる静止画像が切り換えられるので、音楽の雰囲気の変化に応じて切り換わる静止画像を視覚的に楽しみながら、音楽をより一層効果的に楽しんで聴くことができる。
【００１７】
請求項３の発明では、前記基準レベル幅の中心点と高低幅は設定変更が可能であるので、ユーザの好みに応じて静止画像の切換タイミングを設定することができる。
【００１８】
請求項４の発明では、前記画像ファイルは前記音楽ファイルと関連する一連の静止画像情報を有しているので、音楽を再生したときに順次表示されるバックグラウンドとしての静止画像は１つのストーリを楽しむことができる。
【００１９】
請求項５の発明では、前記画像切換部は、音楽情報が記録された音楽ファイルと静止画像情報が記録された画像ファイルとが混在した光ディスクの情報を再生する際に、再生したい音楽ファイルに対応する画像ファイルを検索して静止画像を表示装置に表示させるための画像ファイル検索手段と、前記音楽ファイルの再生が開始してから音声信号の音声レベルを検出する音声レベル検出手段と、前記検出された音声レベルと基準レベル幅とを比較し前記音声レベルが前記基準レベル幅から外れたとき比較結果信号を出力する音声レベル比較手段と、前記比較結果信号を入力したとき前記静止画像を切り換えるための画像切換指令信号を出力する画像切換指令手段とを備えたので、再生される音楽の音声レベルが基準レベル幅を外れたとき、バックグラウンドとなる静止画像を切り換えられることができ、即ち、音楽の雰囲気（音調）の変化に応じてバックグラウンドとなる静止画像を切り換えることができる。
【００２０】
【発明の実施の形態】
以下、添付図面を参照しつつ本発明の実施の形態について説明する。図１は本発明の一実施形態に係る光ディスク再生装置の構成を示すブロック図である。図１において、光ディスク２には、ＭＰ３やＷＭＡなどでデータ圧縮された音楽情報が記録された音楽ファイルと、ＪＰＥＧなどでデータ圧縮された一連の静止画像情報が記録された画像ファイルとが記録されている。この画像ファイルは例えば、予め光ディスクに記録されているものや、ユーザにより編集され光ディスクに記録されたものがある。この光ディスク再生装置１は、前記光ディスク２を装着して光ディスク２に記録された情報を光学的に読み出す読出機構３と、この読出機構３を駆動するための駆動信号を生成する駆動回路１１と、読出機構３により読み出された音楽ファイルのデータおよび／または画像ファイルのデータを解読して復号化する復号回路４と、この復号回路４からの復号化データをＲＡＭ６に格納すると共にＲＡＭ６から復号化データを読み出すメモリ制御回路５とを備えている。
【００２１】
前記ＲＡＭ６は、メモリ制御回路５から出力されたデータを一時的に格納するランダム・アクセス・メモリでありデータを格納する所定の記録領域を有し、メモリ制御回路５からのアドレス信号および書込み信号を受けて前記記憶領域にデータを格納し、また、メモリ制御回路５からのアドレス信号および読出し信号を受けて、前記記憶領域に格納されたデータを読み出す。
【００２２】
また、光ディスク再生装置１は、メモリ制御回路５からの圧縮画像データを伸張して表示用の画像データを再生する画像データ伸張回路７と、前記伸張された画像データを入力して例えばＮＴＳＣ方式の表示装置２１にその画像データが表す画像を表示させるためにその画像データを複合映像信号に変換する映像信号生成回路８とを備えている。即ち、映像信号生成回路８は、入力された画像データをデジタル・アナログ変換し、アナログ値に変換された信号に垂直同期信号および水平同期信号を付加させて複合映像信号を生成する。
【００２３】
また、光ディスク再生装置１は、メモリ制御回路５からの圧縮音楽データを伸張する音楽データ伸張回路９と、前記伸張された音楽データをデジタル・アナログ変換し音声信号を生成する音声信号生成回路１０とを備えている。この音声信号生成回路１０からの音声信号はアンプ１９に入力される。アンプ１９は、ユーザの操作による音量設定に応じて音声信号を電力増幅して、スピーカ２０に供給し、音楽を発生させる。
【００２４】
更に、光ディスク再生装置１には、音楽情報が記録された音楽ファイルと一連の静止画像情報が記録された画像ファイルとが混在した光ディスク２の情報を再生する際に、再生したい音楽ファイルに対応する画像ファイルを検索して静止画像を表示装置２１に表示させるための画像ファイル検索回路１８と、前記音楽ファイルの再生が開始し音声信号生成回路１０から出力される音声信号の音声レベルを検出する音声レベル検出回路１５と、前記検出された音声レベルと基準レベル幅とを比較し前記音声レベルが前記基準レベル幅を外れたとき比較結果信号を出力する音声レベル比較回路１６と、前記比較結果信号を入力したとき前記静止画像を切り換えるための画像切換指令信号を出力する画像切換指令回路１７とを備えた画像切換部２２が設けられ、再生される音楽の音声信号の音声レベルが前記基準レベル幅を外れたとき、表示装置２１に表示させるバックグラウンドとしての静止画像を切り換えるようにしている。
【００２５】
また、光ディスク再生装置１は、装置全体の動作を制御するシステムコントローラ１４を備えている。このシステムコントローラ１４は、駆動回路１１、復号回路４、およびメモリ制御回路５を制御して、読出機構３に装着された光ディスク２に記録された情報を読み出す制御を行う。詳しくは、システムコントローラ１４は、光ディスク２に記録された情報を読み出すための制御信号を生成して、駆動回路１１に供給する。また、システムコントローラ１４は、読出機構３からのデータを復号するための制御信号を生成して、復号回路４に供給する。
【００２６】
また、システムコントローラ１４は、復号回路４にて復号化されたデータをＲＡＭ６に格納させ、またＲＡＭ６に格納されたデータを読み出すメモリ制御回路５を制御する制御信号を生成して、メモリ制御回路５に供給する。また、システムコントローラ１４は、画像切換指令回路１７からの画像切換指令信号に応答して切り換える静止画像を検索するように画像ファイル検索回路１８に指示を与える。
【００２７】
操作部１２は、ユーザによる操作内容を検出して、その操作内容に応じた情報をシステムコントローラ１４に通知するものであり、複数のキーを備えている。この操作部１２は、リモコン、または装置本体に備えられた操作部に相当するものである。表示部１３は、例えば、ランプや液晶などの表示手段を有し、システムコントローラ１４からの信号を入力して光ディスク再生装置１の動作状態をユーザに知らせるためのものである。
【００２８】
なお、本実施形態では、復号回路４からの音楽ファイルのデータと画像ファイルのデータの両者を一旦ＲＡＭ６に格納するとして説明するが、再生時はどちらか一方をＲＡＭ６に格納するだけでも良い。例えば、画像ファイルのデータの方を一旦ＲＡＭ６に格納し、このＲＡＭ６から読み出した画像ファイルのデータにより静止画像を表示でき、また、音楽ファイルのデータの方は、ＲＡＭ６を介さずに復号回路４から音楽データ伸張回路９に送ることにより、音楽を再生することができる。
【００２９】
図２は本発明の一実施形態に係る光ディスク再生装置における画像切換動作を説明するためのフローチャートである。また、図３は前記画像切換処理における音声信号の音声レベルと基準レベル幅との関係を示す信号レベル関係図である。以下、図１〜図３を参照して、本実施形態の光ディスク再生装置１における画像切換動作について説明する。
【００３０】
音楽情報が記録された音楽ファイルと一連の静止画像情報が記録された画像ファイルが記録された画像ファイルとが混在した光ディスク２がユーザによって読出機構３に装着され、ユーザが操作部１２を操作して再生したい音楽ファイルに対する再生指示を行うと（ステップＳ１）、システムコントローラ１４は、再生を行うための制御信号を駆動回路１１に供給し、これに応答して、駆動回路１１は再生に関する駆動信号を読出機構３に供給する。これにより、読出機構３はユーザの希望する音楽ファイルと、この音楽ファイルに関連する画像ファイルとを光ディスク２から読み出し、復号回路４に供給する。復号回路４は、供給された音楽ファイルのデータと画像ファイルのデータとを復号化してメモリ制御回路５に供給する。
【００３１】
メモリ制御回路５は、前記復号化された音楽ファイルのデータと画像ファイルのデータとをＲＡＭ６に格納する。そして、画像ファイル検索回路１８は、メモリ制御回路５を介して表示装置２１にバックグラウンドとして表示させるための静止画像を有する画像ファイルのデータをＲＡＭ６から検索する（ステップＳ２）。この後、メモリ制御回路５は、前記検索された画像ファイルのデータから１番目の静止画像のデータを読み出して画像データ伸張回路７に供給する。
【００３２】
画像データ伸張回路７は、前記１番目の静止画像のデータを伸張処理して映像信号生成回路８に供給する。映像信号生成回路８は、前記伸張処理された１番目の静止画像のデータをアナログ値に変換し、このアナログ値に変換された信号に垂直同期信号および水平同期信号を付加させて複合映像信号を生成して表示装置２１に供給し、１番目の静止画像をバックグラウンドとして表示装置２１に表示させる（ステップＳ３）。
【００３３】
この後、メモリ制御回路５は、ＲＡＭ６に格納されている音楽ファイルのデータを読出し、音楽データ伸張回路９に供給する。音楽データ伸張回路９は、供給された音楽ファイルのデータを伸張処理して音声生成回路１０に供給する。音声信号生成回路１０は、前記伸張処理された音楽ファイルのデータをアナログ値に変換してアナログの音声信号を生成してアンプ１９に供給する。アンプ１９は前記音声信号を電力増幅してスピーカ２０に供給する。これにより、スピーカ２０からは音楽が発生することになる。即ち、ユーザが希望する音楽ファイルによる音楽が再生開始されることになる（ステップＳ４）。
【００３４】
このようにして音楽の再生が行われている時、音声レベル検出回路１５は音声信号生成回路１０からの音声信号の音声レベルを検出する（ステップＳ５）。音声レベル検出回路１５は、例えば、入力された音声信号を検波することにより、図３のラインＬで示すような音声レベルの電圧を出力することになる。音声レベル比較回路１６は、前記検出された音声レベルと基準レベル幅（図３に示すラインＬ１とラインＬ２間の幅）とを比較して、音声レベルが基準レベル幅より外れたか否かを判定し（ステップＳ６）、音声レベルが基準レベル幅を外れたとき比較結果信号を出力する。
【００３５】
例えば、図３では、時間ｔ１，ｔ３においてラインＬで示す音声レベルが基準レベル幅の上限のラインＬ１を超えて高くなり、また、時間ｔ２においてはラインＬで示す音声レベルが基準レベル幅の下限のラインＬ２を超えて低くなっている。したがって、音声レベル比較回路１６は、先ず時間ｔ１で比較結果信号を出力する。この比較結果信号を入力した画像切換指令回路１７は、画像切換指令信号をシステムコントローラ１４に供給し（ステップＳ７）、これにより、システムコントローラ１４はメモリ制御回路５に対してＲＡＭ６から２番目の静止画像のデータを読み出すための読出指令信号を供給する。これにより、ＲＡＭ６から２番目の静止画像のデータが読み出され、前述した同様な処理により表示装置２１には、１番目の静止画像に替わり２番目の静止画像がバックグラウンドとして表示されることになる（ステップＳ８）。
【００３６】
以降、同様な処理により、次の時間ｔ２において、２番目の静止画像に替わり３番目の静止画像がバックグラウンドとして表示装置２１に表示され、更に次の時間ｔ３において、３番目の静止画像に替わり４番目の静止画像がバックグラウンドとして表示装置２１に表示される。そして、再生が終了すれば（ステップＳ９）本処理は終わる。
【００３７】
なお、音声レベル比較回路１６は、例えば図３に示すラインＬ１を基準レベルとし、入力電圧（ラインＬで示す音声レベル）がラインＬ１の基準レベルを超えたとき、ハイレベルの信号を比較結果信号として出力する第１の比較器（図示せず）と、ラインＬ２を基準レベルとし、入力電圧がラインＬ２の基準レベルを下回ったとき、ハイレベルの信号を比較結果信号として出力する第２の比較器（図示せず）とを備えることにより実現できる。また、音声レベルがラインＬ１で示す基準レベルを超えたときのみに、静止画像を切り換える場合は、音声レベル比較回路１６は前記第１の比較器だけを備えれば良く、また、音声レベルがラインＬ２で示す基準レベルを下回ったときのみに、静止画像を切り換える場合は、音声レベル比較回路１６は前記第２の比較器だけを備えれば良い。図３に示すラインＬ１とラインＬ２間で示す基準レベル幅の中心点と高低幅（レベル幅）は、比較器の基準電圧を設定変更することにより変えることができる。
【００３８】
また、図３において、時間ｔ１、時間ｔ２、時間ｔ３の間隔が時間的に数ミリ秒から数秒単位で短い場合は、静止画像が数ミリ秒から数秒単位で切り換わるので、これを防止するため、前記比較器の入力端子側に積分回路を設け、その時定数の分だけ入力信号の変化を受け付けないようにしても良い。また、静止画像の切り換え間隔をもっと長くしたい場合は、前記比較器の出力の変化を一定時間だけ音声レベル比較回路１６から出さないようにタイマ回路を設けても良い。
【００３９】
例えば、図３に示す時間ｔ１と時間ｔ２の間隔が非常に短い場合、時間ｔ１で前記第１の比較器の出力が発生し、この時点でタイマ回路が時間をカウント開始し、時間ｔ２で前記第２の比較器からハイレベルの信号が発生するが、タイマ回路の時間設定が時間ｔ２よりも長く設定されている場合は、タイマ回路の出力は時間ｔ２の時点ではローレベルであるので、前記第２の比較器の出力と前記タイマ回路の出力との論理積をとる例えば、ＡＮＤゲート（図示せず）の出力はローレベルのままであり、したがって、前記第２の比較器の出力であるハイレベル信号は音声レベル比較回路１６からは出力されず、時間ｔ２では静止画像の切り換えは起こらないことになる。
【００４０】
また、画像ファイル検索回路１８による画像ファイルの検索方法としては、例えば、光ディスク中の画像ファイルをランダムに検索する方法と、光ディスク中の画像ファイルに通し番号を付けておき番号順に従って画像ファイルを検索する方法と、光ディスク中の音楽ファイルと該音楽ファイルに関連する画像ファイルとに同一のファイル名を付けておきファイル名を検索する方法と、ユーザが音楽ファイルと画像ファイルとを関連付けしておき希望する音楽ファイルを再生するときそれに関連する画像ファイルを検索する方法などがある。
【００４１】
本実施形態によれば、再生される音楽の音声信号の音声レベルが前記基準レベル幅を外れたとき表示装置２１に表示させるバックグラウンドとしての静止画像を、音楽の音声レベルが基準レベル幅を外れたときに切り換える画像切換部２２を備えたので、再生される音楽の音声レベルが基準レベル幅を外れたとき、バックグラウンドとなる静止画像が切り換えられ、即ち、音楽の雰囲気（音調）の変化に応じてバックグラウンドとなる静止画像が切り換えられ、したがって、音楽の雰囲気の変化に応じて切り換わる静止画像を視覚的に楽しみながら、音楽をより一層効果的に楽しんで聴くことができる。
【００４２】
【発明の効果】
以上のように請求項１の発明によれば、音楽情報が記録された音楽ファイルと一連の静止画像情報が記録された画像ファイルとが混在した光ディスクの情報を再生する際に、再生したい音楽ファイルに対応する画像ファイルを画像ファイル検索手段により検索し、最初の静止画像をバックグラウンドとして表示装置に表示する。そして、前記音楽ファイルの再生が開始し、音声信号の音声レベルを音声レベル検出手段により検出し、この検出した音声レベルと基準レベル幅とを音声レベル比較手段により比較し、前記音声レベルが前記基準レベル幅を外れたとき比較結果信号を出力し、この比較結果信号を入力した画像切換指令手段は、前記静止画像を切り換えるための画像切換指令信号を出力し、これにより、バックグラウンドとしての静止画像が切り換えられる。
【００４３】
このように、請求項１の発明によれば、再生される音楽の音声レベルが基準レベル幅を外れたとき、バックグラウンドとなる静止画像が切り換えられるので、即ち、音楽の雰囲気（音調）の変化に応じてバックグラウンドとなる静止画像が切り換えられるので、音楽の雰囲気の変化に応じて切り換わる静止画像を視覚的に楽しみながら音楽をより一層効果的に楽しんで聴くことができる。
【００４４】
請求項２の発明の発明によれば、音楽情報が記録された音楽ファイルと静止画像情報が記録された画像ファイルとが混在した光ディスクの情報を再生する際に再生したい音楽ファイルに対応する画像ファイルを検索して静止画像を表示装置に表示させ、再生される音楽の音声信号の音声レベルが基準レベル幅から外れたとき、前記静止画像を切り換える画像切換部を設けたので、再生される音楽の音声レベルが基準レベル幅を外れたとき、バックグラウンドとなる静止画像が切り換えられ、即ち、音楽の雰囲気（音調）の変化に応じてバックグラウンドとなる静止画像が切り換えられ、音楽の雰囲気の変化に応じて切り換わる静止画像を視覚的に楽しみながら音楽をより一層効果的に楽しんで聴くことができる。
【００４５】
請求項３の発明によれば、前記基準レベル幅の中心点と高低幅は設定変更が可能であるので、ユーザの好みに応じて静止画像の切換タイミングを設定することができる。
【００４６】
請求項４の発明によれば、前記画像ファイルは前記音楽ファイルと関連する一連の静止画像情報を有しているので、音楽を再生したときに順次表示されるバックグラウンドとしての静止画像は１つのストーリを楽しむことができる。
【００４７】
請求項５の発明によれば、前記画像切換部は、音楽情報が記録された音楽ファイルと静止画像情報が記録された画像ファイルとが混在した光ディスクの情報を再生する際に、再生したい音楽ファイルに対応する画像ファイルを検索して静止画像を表示装置に表示させるための画像ファイル検索手段と、前記音楽ファイルの再生が開始してから音声信号の音声レベルを検出する音声レベル検出手段と、前記検出された音声レベルと基準レベル幅とを比較し前記音声レベルが前記基準レベル幅から外れたとき比較結果信号を出力する音声レベル比較手段と、前記比較結果信号を入力したとき前記静止画像を切り換えるための画像切換指令信号を出力する画像切換指令手段とを備えたので、再生される音楽の音声レベルが基準レベル幅を外れたとき、バックグラウンドとなる静止画像を切り換えられることができ、即ち、音楽の雰囲気（音調）の変化に応じてバックグラウンドとなる静止画像を切り換えることができる。
【図面の簡単な説明】
【図１】本発明の一実施形態に係る光ディスク再生装置の構成を示すブロック図である。
【図２】本発明の一実施形態に係る光ディスク再生装置における画像切換処理を説明するためのフローチャートである。
【図３】前記画像切換処理における音声信号の音声レベルと基準レベル幅との関係を示す信号レベル関係図である。
【符号の説明】
１    光ディスク再生装置
２    光ディスク
１５    音声レベル検出回路（音声レベル検出手段）
１６    音声レベル比較回路（音声レベル比較手段）
１７    画像切換指令回路（画像切換指令手段）
１８    画像ファイル検索回路（画像ファイル検索手段）
２１    表示装置
２２    画像切換部
【図１】
2004158105.tif 000003
【図２】
2004158105.tif 000004
【図３】
2004158105.tif 000005